(57)【特許請求の範囲】
【請求項１】
カバー本体を備えた手押しカート用カバーであって、
前記カバー本体は、第１シート領域と、前記第１シート領域の幅方向の一側に接続した第２シート領域と、前記第１シート領域の幅方向の他側に接続した第３シート領域と、を含み、
前記第１シート領域の一方の面に前記第２シート領域及び前記第３シート領域が対面した状態で、前記第１シート領域の上端縁と前記第２シート領域の上端縁及び前記第３シート領域の上端縁とが接続されており、
前記第２シート領域と前記第３シート領域との間に、前記第２シート領域及び前記第３シート領域の下端縁まで上下方向に延びるスリットが形成されており、
前記第１シート領域の下端縁の一部と前記第２シート領域の下端縁の一部とが接合され、
前記第１シート領域の下端縁の一部と前記第３シート領域の下端縁の一部とが接合されている、手押しカート用カバー。
【請求項２】
前記第２シート領域の少なくとも一部と前記第３シート領域の少なくとも一部とが重ね合わされている、請求項１に記載の手押しカート用カバー。
【請求項３】
前記第２シート領域と前記第３シート領域とを着脱可能に接続する留め具を更に備えた、請求項１又は２に記載の手押しカート用カバー。
【請求項４】
前記留め具は、互いに係合可能な第１部材と第２部材とを含み、
前記第１部材は、前記第２シート領域に取り付けられており、
前記第２部材は、前記第３シート領域に取り付けられており、
前記第２シート領域の前記第１部材が取り付けられている部分及び前記第３シート領域の前記第２部材が取り付けられている部分には、それぞれ補強布が取り付けられている、請求項３に記載の手押しカート用カバー。
【請求項５】
前記第２シート領域及び前記第３シート領域は、それぞれ、正面領域と、幅方向の一側及び他側において前記正面領域及び前記第１シート領域に接続する側面領域と、を含み、
各側面領域の上端縁は、上下方向に沿って延びる谷折り線に沿って谷折りにされた状態で前記第１シート領域の上端縁及び当該側面領域が接続する前記正面領域の上端縁に接続する、請求項１乃至４のいずれか一項に記載の手押しカート用カバー。
【請求項６】
前記側面領域の下端縁の一部と、当該側面領域に接続する前記正面領域の下端縁の一部とが接合されている、請求項５に記載の手押しカート用カバー。
【請求項７】
各側面領域は、前記谷折り線と当該側面領域が接続する前記正面領域との間に位置し且つ当該側面領域が谷折りにされた状態で前記正面領域に対面する前側領域と、前記谷折り線と前記第１シート領域との間に位置し且つ当該側面領域が谷折りにされた状態で前記前側領域及び前記第１シート領域に対面する後側領域と、を有し、
前記正面領域の下端縁の一部と前記前側領域の下端縁の一部とが接合され、
前記前側領域の下端縁の一部と前記後側領域の下端縁の一部とが接合され、
前記後側領域の下端縁の一部と前記第１シート領域の下端縁の一部とが接合されている、請求項５又は６に記載の手押しカート用カバー。
【請求項８】
前記カバー本体の上端縁に接続した把持部材を更に備えている、請求項１乃至７のいずれか一項に記載の手押しカート用カバー。
【請求項９】
前記把持部材は、伸縮性の材料で環状に形成されている、請求項８に記載の手押しカート用カバー。
【請求項１０】
カバー本体と前記カバー本体の上端縁に接続した把持部材とを備えた手押しカート用カバーであって、
前記カバー本体は、第１シート領域と、前記第１シート領域の幅方向の一側に接続した第２シート領域と、前記第１シート領域の幅方向の他側に接続した第３シート領域と、を含み、
前記第１シート領域の一方の面に前記第２シート領域及び前記第３シート領域が対面した状態で、前記第１シート領域の上端縁と前記第２シート領域の上端縁及び前記第３シート領域の上端縁とが接続されており、
前記第２シート領域と前記第３シート領域との間に、前記第２シート領域及び前記第３シート領域の下端縁まで上下方向に延びるスリットが形成されており、
前記把持部材は、伸縮性の材料で環状に形成されている、手押しカート用カバー。
【発明の詳細な説明】
【技術分野】
【０００１】
本発明は、手押しカートを覆うためのカバーに関する。
【背景技術】
【０００２】
従来、乳幼児の移動に用いられる乳母車やペットの移動に用いられるペット用カート、荷物の運搬に用いられる台車などの手押しカートが公知である。例えばＪＰ２０１１−０６３０９７Ａに開示されているように、今日使用されている手押しカートのほとんどは、展開状態から折り畳み状態へと折り畳むことが可能である。そして、このような手押しカートは、保管される際、保管スペース削減のために折り畳まれ、必要に応じてカバーで覆われる。カバーで覆うことにより、手押しカートを塵や埃、雨等から守ることができる。図１１には、従来のカバー２００で覆われた手押しカート２１０が示されている。【０００３】
図１１に示すカバー２００は、袋状に形成されている。開口部２０１にはゴム紐が取り付けられている。そして、カバー２００が手押しカート２１０に装着された状態で開口部２０１が収縮することにより、カバー２００が手押しカート２１０から脱落することが抑制されている。【０００４】
しかしながら、このようなカバー２００は、着脱の際に開口部２０１が手押しカート２１０を構成する要素に引っかかる。このため、このようなカバー２００を手押しカート２１０に対して着脱することは、容易ではない。
【発明の開示】
【０００５】
本発明は以上の点を考慮してなされたものであり、手押しカートに対する着脱が容易な手押しカート用カバーを提供することを目的とする。
【０００６】
本実施形態による手押しカート用カバーは、
カバー本体を備え、
前記カバー本体は、第１シート領域と、前記第１シート領域の幅方向の一側に接続した第２シート領域と、前記第１シート領域の幅方向の他側に接続した第３シート領域と、を含み、
前記第１シート領域の一方の面に前記第２シート領域及び前記第３シート領域が対面した状態で、前記第１シート領域の上端縁と前記第２シート領域の上端縁及び前記第３シート領域の上端縁とが接続されており、
前記第２シート領域と前記第３シート領域との間に、前記第２シート領域及び前記第３シート領域の下端縁まで上下方向に延びるスリットが形成されている。
【０００７】
本発明によれば、手押しカートに対する着脱が容易な手押しカート用カバーを提供することができる。
【図面の簡単な説明】
【０００８】
【図１】図１は、本発明による一実施形態による手押しカート用カバーを、手押しカートに装着した状態で示す図である。
【図２】図２は、図１に示す手押しカートの全体構成を説明するための斜視図である。
【図３】図３は、折り畳まれた状態で図１の手押しカートを示す側面図である。
【図４】図４は、図１に示す手押しカート用カバーを、その谷折り線及び山折り線に沿って折り畳んだ状態で示す平面図である。
【図５】図５は、図１に示す手押しカート用カバーのカバー本体の展開図である。
【図６】図６は、図１に示す手押しカート用カバーの下端部を示す図である。
【図７】図７は、図１に示す手押しカート用カバーを手押しカートに対して着脱する方法を説明するための図である。
【図８】図８は、図１に示す手押しカート用カバーを手押しカートから取り外す方法を説明するための図である。
【図９】図９は、把持部材の使用方法を説明するための図である。
【図１０】図１０は、把持部材の使用方法を説明するための図である。
【図１１】図１１は、従来の手押しカート用カバーを示す斜視図である。
【発明を実施するための形態】
【０００９】
本発明によるカバーは、乳幼児の移動に用いられる乳母車やペットの移動に用いられるペット用カート、荷物の運搬に用いられる台車、老人用カート（シルバーカー）、歩行車（歩行補助具）などの手押しカートを保管する際に、手押しカートを覆って、手押しカートを日差しや雨、塵、埃から守るために用いられる。
【００１０】
以下、図１〜図１０を参照しながら本発明による一実施の形態について説明する。図１は、カバー１００が装着された手押しカート１０を示す斜視図である。以下に説明する一実施の形態では、カバー１００が手押しカート１０としての乳母車に取り付けられる例を示すが、これに限られない。カバー１００は、その他の手押し車に取り付けられてもよい。
【００１１】
＜手押しカート＞
まず、図２及び図３を参照して、手押しカート１０としての乳母車について説明する。図２及び図３には、乳母車の具体例の全体構成が示されている。図２に示すように、本実施の形態における乳母車１０は、前脚１４及び後脚１６を有する本体フレーム１２と、本体フレーム１２に対して揺動可能となるように本体フレーム１２に接続されたハンドル４０と、前脚１４に取り付けられた第１キャスター１８と、後脚１６に取り付けられた第２キャスター１９と、を有している。このうち、本体フレーム１２及びハンドル４０が乳母車本体（手押しカート本体）１１を構成している。また、乳母車本体１１は子供が着座する着座部３５を含む。着座部３５にはクッション性を有した座席材１３が取り外し可能に装着される。子供は、この座席材１３上に着座又は横臥する。図２に示すように、乳母車本体１１にはガード部材６０が取り付けられている。ガード部材６０は、着座部３５の上方において、乳母車本体１１の幅方向に延びている。乳母車１０は、更に、着座部３５に着座した子供の上半身を覆う幌８０（図７参照）を有していてもよい。
【００１２】
図示された乳母車１０（乳母車本体１１）は、広く普及しているように、図２に示された展開状態から図３に示された折り畳み状態へ折り畳み可能に構成されている。乳母車１０（乳母車本体１１）は、折り畳み状態から展開状態に展開することもできる。
【００１３】
ところで、本明細書中において、乳母車およびその構成要素に対する「前」、「後」、「上」、「下」、「前後方向」、「上下方向」および「幅方向」の用語は、特に指示がない場合、展開状態にある乳母車およびその構成要素に着座する子供を基準とした「前」、「後」、「上」、「下」、「前後方向」、「上下方向」および「幅方向」を意味する。さらに詳しくは、「前後方向」とは、図２における紙面の左下と右上とを結ぶ方向に相当する。そして、特に指示がない限り、「前」とは、乗車した子供が向く側であり、図２における紙面の左下側が前側となる。一方、「上下方向」とは乳母車の走行面に直交する方向である。したがって、走行面が水平面である場合、「上下方向」とは鉛直方向をさす。また、「幅方向」とは横方向であって、「前後方向」および「上下方向」のいずれにも直交する方向である。図２に示すように、図示された乳母車１０は、全体的に、横方向中心に位置し前後方向及び上下方向に沿って広がる面を中心として、概ね対称な構成を有している。
【００１４】
＜手押しカート用カバー＞
次に、図１並びに図４〜図１０を参照して、手押しカート用カバー１００について説明する。図４は、図１に示す手押しカート用カバー１００を、手押しカート１０から取り外した状態で示す平面図である。図５は、手押しカート用カバー１００のカバー本体１０１の展開図である。図６は、手押しカート用カバー１００の下端部を示す図である。図７及び図８は、手押しカート用カバー１００を手押しカート１０に対して着脱する方法を説明するための図である。図９及び図１０は、把持部材１０２の使用方法を説明するための図である。本実施形態の手押しカート用カバー１００は、手押しカート１０への着脱を容易にするための工夫が成されている。具体的には、手押しカート用カバー１００を手押しカート１０に装着する際及び手押しカート１０から取り外す際に、手押しカート用カバー１００が手押しカート１０の構成部材に引っかかることを抑制するための工夫がなされている。以下では、手押しカート用カバー１００を単に「カバー１００」とも称する。
【００１５】
ところで、本明細書において、手押しカート用カバー及び手押しカート用カバーを構成するカバー本体或いはシート状部材に対する「上」、「下」および「上下方向」の用語は、特に指示がない場合、手押しカート用カバーが手押しカートに装着された状態での手押しカートの「上」、「下」及び「上下方向」を基準とした、「上」、「下」及び「上下方向」を意味する。また、手押しカート用カバーに対する「前後方向」の用語は、特に指示がない場合、後述するカバー本体の第１シート領域と第２シート領域及び第３シート領域とが向かい合う方向を意味する。そして、手押しカート用カバーの「前側」とは第２シート領域及び第３シート領域の側を意味し、手押しカート用カバーの「後側」とは第１シート領域の側を意味する。したがって、手押しカート用カバーの「前側」、「後側」及び「前後方向」は、手押しカートの「前側」、「後側」及び「前後方向」と必ずしも一致しない。また、手押しカート用カバー、カバー本体及びシート状部材に対する「幅方向」の用語は、手押しカート用カバー、カバー本体及びシート状部材の上端縁及び下端縁が延びる方向を意味する。さらに詳しくは、手押しカート用カバー、カバー本体及びシート状部材の「上下方向」とは、図１、図４及び図５における紙面の上下方向に相当する。また、手押しカート用カバーの「前後方向」とは、図１における紙面の右下と左上とを結ぶ方向に相当する。そして、図１における紙面の右下が手押しカート用カバーの前側となり、図１における紙面の左上が手押しカート用カバーの後ろ側になる。また、手押しカート用カバー、カバー本体及びシート状部材の「幅方向」とは、図４及び図５における紙面の左右方向に相当する。
【００１６】
また、本明細書において、カバー本体及びシート状部材に対する「山折り」及び「谷折り」の用語は、特に指示がない場合、手押しカート用カバーを外側から見た場合の「山折り」及び「谷折り」を意味する。すなわち、カバー本体及びシート状部材は、手押しカート用カバーが手押しカートに装着された場合に手押しカートの側を向く第１面と、手押しカートの側とは反対側を向く第２面とを有する。そして、「山折り」とは、カバー本体及びシート状部材を、その第１面が内側になるように折り畳んだ状態を意味する。また、「谷折り」とは、カバー本体及びシート状部材を、その第２面が内側になるように折り畳んだ状態を意味する。
【００１７】
図示された例では、手押しカート用カバー１００は、手押しカート１０を保管する際に、折り畳み状態にある手押しカート１０を覆って、手押しカート１０を日差しや雨、塵、埃から守るために用いられる。カバー１００は、日差しや雨、塵、埃を遮ることができる柔軟性なシート状部材１１０を縫製することにより形成されている。シート状部材１１０は、紫外線を遮断する機能を有していてもよい。また、シート状部材１１０は、撥水性、防水性、耐水度等の機能を有していてもよい。
【００１８】
図示された例では、カバー１００は、手押しカート１０を覆うためのカバー本体１０１と、カバー本体１０１に接続された把持部材１０２と、を備えている。カバー本体１０１は、図５に示す全体として四角形のシート状部材１１０を用いて作製される。
【００１９】
シート状部材１１０は、第１シート領域１１１と、第２シート領域１１２と、第３シート領域１１３と、を含む。第２シート領域１１２は、シート状部材１１０の幅方向における第１シート領域１１１の一側に接続している。また、第３シート領域１１３は、シート状部材１１０の幅方向における第１シート領域１１１の他側に接続している。言い換えると、第２シート領域１１２と第１シート領域１１１と第３シート領域１１３とは、シート状部材１１０の幅方向に沿って、この順で並んでいる。図示された例では、第１シート領域１１１と第２シート領域１１２と第３シート領域１１３とは一体として作製されているが、これに限られない。例えば、第１シート領域１１１と第２シート領域１１２と第３シート領域１１３とは、別体に作製された後、互いに縫着されてもよい。
【００２０】
図６及び図７に示すように、シート状部材１１０は、カバー１００が手押しカート１０に装着された状態で手押しカート１０の側を向く第１面Ａ１と、手押しカート１０の側とは反対の側を向く第２面Ａ２と、を有する。シート状部材１１０は、第１シート領域１１１の第１面Ａ１と第２シート領域１１２の第１面Ａ１とが対面するように折り畳まれている。また、シート状部材１１０は、第１シート領域１１１の第１面Ａ１と第３シート領域１１３の第１面Ａ１とが対面するように折り畳まれている。具体的には、シート状部材１１０は、図５に示す山折り線Ｘ１，Ｘ２に沿って山折りにされている。そして、第１シート領域１１１の第１面Ａ１に第２シート領域１１２及び第３シート領域１１３の第１面Ａ１が対面した状態で、第１シート領域１１１の上端縁と、第２シート領域１１２の上端縁及び第３シート領域１１３の上端縁と、が互いに縫着されている。
【００２１】
図示された例では、第２シート領域１１２は、正面領域１２１と、シート状部材１１０の幅方向の一側及び他側において正面領域１２１及び第１シート領域１１１に接続する側面領域１２２と、を含んでいる。正面領域１２１と側面領域１２２と第１シート領域１１１とは、シート状部材１１０の幅方向に沿って、この順で並んでいる。第２シート領域１１２は、正面領域１２１と側面領域１２２との間を上下方向に延びる山折り線Ｘ３（図５参照）に沿って山折りにされている。さらに、側面領域１２２は、山折り線Ｘ３，Ｘ１の間を上下方向に延びる谷折り線Ｘ４（図５参照）に沿って谷折りにされている。より詳しくは、側面領域１２２は、谷折り線Ｘ４と正面領域１２１との間に位置する前側領域１２３と、谷折り線Ｘ４と第１シート領域１１１との間に位置する後側領域１２４と、を有する。そして、シート状部材１１０は、図６に示すように、前側領域１２３の第１面Ａ１と正面領域１２１の第１面Ａ１とが対面し、且つ、後側領域１２４の第１面Ａ１と第１シート領域１１１の第１面Ａ１とが対面するように、折り畳まれている。
【００２２】
また、図示された例では、第３シート領域１１３は、正面領域１３１と、シート状部材１１０の幅方向の他側及び一側において正面領域１３１及び第１シート領域１１１に接続する側面領域１３２と、を含んでいる。第１シート領域１１１と側面領域１３２と正面領域１３１とは、シート状部材１１０の幅方向に沿って、この順で並んでいる。第３シート領域１１３は、正面領域１３１と側面領域１３２との間を上下方向に延びる山折り線Ｘ５（図５参照）に沿って山折りにされている。さらに、側面領域１３２は、山折り線Ｘ５，Ｘ２の間を上下方向に延びる谷折り線Ｘ６（図５参照）に沿って谷折りにされている。より詳しくは、側面領域１３２は、谷折り線Ｘ６と正面領域１３１との間に位置する前側領域１３３と、谷折り線Ｘ６と第１シート領域１１１との間に位置する後側領域１３４と、を有する。そして、シート状部材１１０は、図６に示すように、前側領域１３３の第１面Ａ１と正面領域１３１の第１面Ａ１とが対面し、且つ、後側領域１３４の第１面Ａ１と第１シート領域１１１の第１面Ａ１とが対面するように、折り畳まれている。
【００２３】
第２シート領域１１２及び第３シート領域１１３が側面領域１２２，１３２を含むことにより、カバー１００を手押しカート１０に装着した際に、カバー本体１０１を手押しカート１０の三次元形状に沿わせることが容易である。この結果、手押しカート１０に装着されたカバー１００の外寸が手押しカート１０の外寸と比較して著しく大きくなる、という虞が抑制される。また、カバー１００を収納する際、図６に示すように、カバー本体１０１を、正面領域１２１，１３１と前側領域１２３，１３３と後側領域１２４，１３４と第１シート領域１１１とがこの順で重なるように折り畳んで平らにすることができる。したがって、カバー本体１０１を更に折り畳んでカバー１００をコンパクトにすることが容易である。
【００２４】
シート状部材１１０が上述のように（図６に示すように）折り畳まれた状態で、シート状部材１１０の上端縁が縫製されている。すなわち、第２シート領域１１２の正面領域１２１、前側領域１２３及び後側領域１２４の上端縁が、第１シート領域１１１の上端縁に縫着されている。また、第３シート領域１１３の正面領域１３１、前側領域１３３及び後側領域１３４の上端縁が、第１シート領域１１１の上端縁に縫着されている。
【００２５】
図６に示す例では、第２シート領域１１２の正面領域１２１の下端縁の一部と第２シート領域１１２の前側領域１２３の下端縁の一部とが接合されている。より具体的には、シート状部材１１０の下端部には、第２シート領域１１２が山折り線Ｘ３に沿って山折りにされて正面領域１２１の第１面Ａ１と前側領域１２３の第１面Ａ１とが対面した状態で、正面領域１２１の下端縁と前側領域１２３の下端縁とを縫着する縫い目Ｎ１が、山折り線Ｘ３の近傍に設けられている。これにより、第２シート領域１１２を山折り線Ｘ３に沿って山折りにすることが容易である。
【００２６】
また、第２シート領域１１２の前側領域１２３の下端縁の一部と第２シート領域１１２の後側領域１２４の下端縁の一部とが接合されている。より具体的には、シート状部材１１０の下端部には、第２シート領域１１２が谷折り線Ｘ４に沿って谷折りにされて前側領域１２３の第２面Ａ２と後側領域１２４の第２面Ａ２とが対面した状態で、前側領域１２３の下端縁と後側領域１２４の下端縁とを縫着する縫い目Ｎ２が、谷折り線Ｘ４の近傍に設けられている。これにより、第２シート領域１１２を谷折り線Ｘ４に沿って谷折りにすることが容易である。
【００２７】
さらに、第２シート領域１１２の後側領域１２４の下端縁の一部と第１シート領域１１１の下端縁の一部とが接合されている。より具体的には、シート状部材１１０の下端部には、シート状部材１１０が山折り線Ｘ１に沿って山折りにされて後側領域１２４の第１面Ａ１と第１シート領域１１１の第１面Ａ１とが対面した状態で、後側領域１２４の下端縁と第１シート領域１１１の下端縁とを縫着する縫い目Ｎ３が、山折り線Ｘ１の近傍に設けられている。これにより、シート状部材１１０を山折り線Ｘ１に沿って山折りにすることが容易である。
【００２８】
同様に、第３シート領域１１３の正面領域１３１の下端縁の一部と第３シート領域１１３の前側領域１３３の下端縁の一部とが接合されている。より具体的には、シート状部材１１０の下端部には、第３シート領域１１３が山折り線Ｘ５に沿って山折りにされて正面領域１３１の第１面Ａ１と前側領域１３３の第１面Ａ１とが対面した状態で、正面領域１３１の下端縁と前側領域１３３の下端縁とを縫着する縫い目Ｎ４が、山折り線Ｘ５の近傍に設けられている。これにより、第３シート領域１１３を山折り線Ｘ５に沿って山折りにすることが容易である。
【００２９】
また、第３シート領域１１３の前側領域１３３の下端縁の一部と第３シート領域１１３の後側領域１３４の下端縁の一部とが接合されている。より具体的には、シート状部材１１０の下端部には、第３シート領域１１３が谷折り線Ｘ６に沿って谷折りにされて前側領域１３３の第２面Ａ２と後側領域１３４の第２面Ａ２とが対面した状態で、前側領域１３３の下端縁と後側領域１３４の下端縁とを縫着する縫い目Ｎ５が、山折り線Ｘ６の近傍に設けられている。これにより、第３シート領域１１３を谷折り線Ｘ６に沿って谷折りにすることが容易である。
【００３０】
さらに、第３シート領域１１３の後側領域１３４の下端縁の一部と第１シート領域１１１の下端縁の一部とが接合されている。より具体的には、シート状部材１１０の下端部には、シート状部材１１０が山折り線Ｘ２に沿って山折りにされて後側領域１３４の第１面Ａ１と第１シート領域１１１の第１面Ａ１とが対面した状態で、後側領域１３４の下端縁と第１シート領域１１１の下端縁とを縫着する縫い目Ｎ６が、山折り線Ｘ２の近傍に設けられている。これにより、シート状部材１１０を山折り線Ｘ２に沿って山折りにすることが容易である。
【００３１】
第２シート領域１１２の正面領域１２１と第３シート領域１１３の正面領域１３１との間には、第２シート領域１１２及び第３シート領域１１３の下端縁まで続くスリットＳが形成されている。より詳しくは、図示された例では、第２シート領域１１２と第３シート領域１１３とは、その上端縁以外の部分で、互いから分離している。したがって、図７に示すように、第２シート領域１１２と第３シート領域１１３とをシート状部材１１０の幅方向に引き分けることができる。これにより、カバー１００を手押しカート１０に対して着脱することが容易である。すなわち、カバー１００を手押しカート１０に対して着脱する際、第２シート領域１１２と第３シート領域１１３とを引き分けて、手押しカート１０の後方、前方あるいは側方からカバー１００を手押しカート１０に被せる或いは手押しカート１０から引き剥がすことができる。したがって、図７に示すようにしてカバー１００を手押しカート１０に対して着脱する際、カバー１００が手押しカート１０の構成部材に引っかかる虞が低減される。あるいは、カバー１００を手押しカート１０から取り外す際、図８に示すようにカバー１００の上端縁を引っ張ると、第２シート領域１１２と第３シート領域１１３とが、手押しカート１０の外形状に沿ってシート状部材１１０の幅方向に互いに対して移動する。これにより、図８に示すようにしてカバー１００を手押しカート１０から取り外す際、カバー１００が手押しカート１０の構成部材に引っかかる虞が低減される。
【００３２】
図示された例では、図６によく示されているように、第２シート領域１１２の一部と第３シート領域１１３の一部とが重ね合わされている。より具体的には、第２シート領域１１２は、シート状部材１１０の上下方向に延びる一対の側縁の一方をなす側縁１２５を含んでいる。また、第３シート領域１１３は、シート状部材１１０の上記一対の側縁の他方をなす側縁１３５を含んでいる。第２シート領域１１２の側縁１２５が第３シート領域１１３の第２面Ａ２上に配置され、第３シート領域１１３の側縁１３５が第２シート領域の第１面Ａ１上に配置された状態で、第２シート領域１１２及び第３シート領域１１３の上端縁は第１シート領域１１１の上端縁に縫着されている。言い換えると、第３シート領域１１３の側縁１３５は、第１シート領域１１１と第２シート領域１１２との間に配置されている。これにより、カバー１００が手押しカート１０に装着された状態で第２シート領域１１２と第３シート領域１１３とが重なり合うため、カバー１００の外側から内側に、スリットＳを通じて日差しや雨、塵、埃が侵入する虞が抑制される。
【００３３】
さらに、図示された例では、図５及び図６によく示されているように、カバー１００には、第２シート領域１１２と第３シート領域１１３とを着脱可能に接続する留め具１４０が設けられている。第２シート領域１１２と第３シート領域１１３とを留め具１４０によって接続することによっても、カバー１００の外側から内側に、スリットＳを通じて日差しや雨、塵、埃が侵入する虞が抑制される。留め具１４０としては、スナップボタンや面ファスナー等、種々の留め具を採用可能である。図示された例では、留め具１４０は、第２シート領域１１２の下端縁と第３シート領域１１３の下端縁とを接続するように設けられている。このような留め具１４０により、第２シート領域１１２と第３シート領域１１３とを、その上端縁から下端縁に至るまで、互いに対して接近した状態に維持することができる。とりわけ図示された例では、留め具１４０により、第２シート領域１１２と第３シート領域１１３とを、その上端縁から下端縁に至るまで、重ね合わせた状態に維持することができる。したがって、カバー１００を手押しカート１０に装着した状態においてスリットＳが意図せず開放されて、カバー１００の外側から内側にスリットＳを通じて日差しや雨、塵、埃が侵入する、という虞が抑制される。
【００３４】
図示された例では、留め具１４０は、スナップボタンであり、互いに係合可能な第１ボタン（第１部材）１４１及び第２ボタン（第２部材）１４２を含む。第１ボタン１４１は、第２シート領域１１２の下端縁の近傍に取り付けられている。また、第２ボタン１４２は、第３シート領域１１３の下端縁の近傍に取り付けられている。第２シート領域１１２及び第３シート領域１１３のうち、ボタン１４１，１４２が取り付けられる部分には、補強布１４３が取り付けられている。これにより、ボタン１４１，１４２の係合を解除する際に第２シート領域１１２及び第３シート領域１１３を引っ張っても、第２シート領域１１２及び第３シート領域１１３が破れる虞が低減される。
【００３５】
次に、把持部材１０２について説明する。図１に示す例では、把持部材１０２は、カバー本体１０１の上端縁に接続されている。把持部材１０２は、カバー本体１０１の幅方向の中央に接続されている。カバー１００を手押しカート１０から取り外す際、図８に示すように把持部材１０２を把持して上方に引っ張ることで、容易にカバー１００を手押しカート１０から取り外すことができる。
【００３６】
図示された例では、把持部材１０２は環状である。より具体的には、把持部材１０２は、紐状の部材の両端部をカバー本体１０１に縫着させることにより形成されている。把持部材１０２が環状であることにより、雨などによって濡れたカバー１００を乾かす際、図９に示すように、把持部材１０２をフックＦ等に引っかけてカバー本体１０１をつり下げることができる。
【００３７】
また、図示された例では、把持部材１０２は、伸縮性の材料で形成されており、把持部材１０２の周方向に伸び縮み可能である。これにより、図１０に示すように、カバー１００を保管する際、折り畳んだカバー本体１０１の周りに把持部材１０２を巻き付けて、カバー本体１０１を折り畳んだ状態に維持することができる。
【００３８】
上述したカバー１００は、構造が単純であるため、容易に洗濯することができ、素早く乾燥させることができる。さらに、上述したカバー１００は、図４に示すように平らにすることができるため、コンパクトに折り畳むことが容易である。
【００３９】
このような構成を有するカバー１００は、次のようにして手押しカート１０に取り付けることができる。すなわち、図７に示すように、ボタン１４１，１４２が係合されていない状態で（すなわち、第２シート領域１１２と第３シート領域１１３とが留め具１４０によって接続されていない状態で）、第２シート領域１１２と第３シート領域１１３とをシート状部材１１０の幅方向に引き分け、折り畳まれた手押しカート１０の後方、前方あるいは側方からカバー１００を手押しカート１０に被せる。その後、第２シート領域１１２の下端部と第３シート領域１１３の下端部とを重ね合わせ、留め具１４０によって接続する。これにより、カバー１００は手押しカート１０に装着される。
【００４０】
また、このような構成を有するカバー１００は、次のようにして手押しカート１０から取り外すことができる。すなわち、まず、ボタン１４１，１４２の係合を（すなわち、第２シート領域１１２と第３シート領域１１３との留め具１４０による接続を）解除する。次に、図８に示すように、把持部材１０２を把持してカバー１００を上方に引っ張る。これにより、カバー１００は手押しカート１０から取り外される。あるいは、まず、ボタン１４１，１４２の係合を解除する。次に、図７に示すように、第２シート領域１１２と第３シート領域１１３とをシート状部材１１０の幅方向に引き分け、手押しカート１０の後方、前方あるいは側方から、カバー１００を手押しカート１０から引き剥がす。これにより、カバー１００は手押しカート１０から取り外される。
【００４１】
また、このような構成を有するカバー１００は、収納の際、次のようにして折り畳むことができる。すなわち、図６に示すように、カバー本体１０１を、山折り線Ｘ１，Ｘ２，Ｘ３，Ｘ５に沿って山折にし、且つ、谷折り線Ｘ４，Ｘ６に沿って谷折りにする。これにより、カバー本体１０１は、正面領域１２１，１３１と前側領域１２３，１３３と後側領域１２４，１３４と第１領域１１１とがこの順で重なるように折り畳まれ、全体として平らになる。次に、カバー本体１０１を、上下方向に延びる線Ｘ７，Ｘ８（図４参照）に沿って三つ折りにする。その後、カバー本体１０１の下端縁から上端縁に向かって、カバー本体１０１を巻くようにして折り畳む。最後に、図１０に示すように、把持部材１０２をカバー本体１０１の周囲に巻き付ける。
【００４２】
なお、以上に説明した実施形態では、カバー本体１０１の第２シート領域１１２及び第３シート領域１１３は、側面領域１２２，１３２を含むが、これに限られない。カバー本体１０１は、側面領域１２２，１３２を含んでいなくてもよい。言い換えると、第２シート領域１１２及び第３シート領域１１３の正面領域１２１，１３１は、第１シート領域１１１の幅方向の一側及び他側に直接接続していてもよい。
【００４３】
また、以上に説明した実施形態では、第２シート領域１１２の少なくとも一部と第３シート領域１１３の少なくとも一部とが重なっているが、これに限られない。第２シート領域１１２と第３シート領域１１３とは、重なっていなくてもよい。言い換えると、第３シート領域１１３の側縁１３５は、第１シート領域１１１と第２シート領域１１２との間に配置されていなくてもよい。この場合であっても、手押しカート１０の大部分をカバー１００で覆うことができる。このため、手押しカート１０を日差しや雨、塵、埃から守ることができる。また、第２シート領域１１２と第３シート領域１１３とが重なっていない場合であっても、留め具１４０で第２シート領域１１２と第３シート領域１１３とを接続すれば、手押しカート１０を日差しや雨、塵、埃から効果的に守ることができる。
【００４４】
また、以上に説明した実施形態では、把持部材１０２は環状であるが、これに限られない。例えば、把持部材１０２の一方の端部は、カバー本体１０１に接続されていなくてもよい。この場合も、カバー１００を手押しカート１０から取り外す際、把持部材１０２を把持してカバー１００を引っ張ることができる。また、カバー１００を折り畳んで収納する際、把持部材１０２をカバー本体１０１の周囲に巻き付けて、カバー本体１０１を折り畳んだ状態に維持することができる。
【００４５】
さらに、以上に説明した実施形態では、カバー１００は折り畳み状態にある手押しカート１０を覆うものであるが、これに限られない。カバー１００は、展開状態にある手押しカート１０を覆ってもよい。さらに、カバー１００は、折り畳み不可能な手押しカート１０を覆ってもよい。
【００４６】
以上のように、本実施の形態の手押しカート用カバー１００は、カバー本体１０１を備えている。カバー本体１０１は、第１シート領域１１１と、第１シート領域１１１の幅方向の一側に接続した第２シート領域１１２と、第１シート領域１１１の幅方向の他側に接続した第３シート領域１１３と、を含んでいる。第１シート領域１１１の一方の面Ａ１に第２シート領域１１２及び第３シート領域１１３が対面した状態で、第１シート領域１１１の上端縁と、第２シート領域１１２の上端縁及び第３シート領域１１３の上端縁と、が接続されている。そして、第２シート領域１１２と第３シート領域１１３との間に、第２シート領域１１２及び第３シート領域１１３の下端縁まで上下方向に延びるスリットＳが形成されている。
【００４７】
このようなカバー１００は、手押しカート１０に対して容易に着脱することができる。すなわち、カバー１００を手押しカート１０に対して着脱する際、第２シート領域１１２及び第３シート領域１１３を互いに対して幅方向に移動させることができるため、カバー１００が手押しカート１０の構成部材に引っかかる虞が少ない。
【００４８】
また、本実施形態では、第２シート領域１１２の少なくとも一部と第３シート領域１１３の少なくとも一部とが重ね合わされている。これにより、カバー１００が手押しカート１０に装着された状態において、第２シート領域１１２と第３シート領域１１３とが重なり合うため、カバー１００の外側から内側にスリットＳを通じて日差しや雨、塵、埃が侵入する、という虞が抑制される。
【００４９】
また、本実施の形態のカバー１００は、第２シート領域１１２と第３シート領域１１３とを着脱可能に接続する留め具１４０を更に備えている。第２シート領域１１２と第３シート領域１１３とを留め具１４０で接続することにより、カバー１００の外側から内側にスリットＳを通じて日差しや雨、塵、埃が侵入する、という虞が抑制される。
【００５０】
また、本実施の形態では、留め具１４０は、互いに係合可能な第１部材１４１と第２部材１４２とを含んでいる。第１部材１４１は、第２シート領域１１２に取り付けられている。第２部材１４２は、第３シート領域１１３に取り付けられている。そして、第２シート領域１１２の第１部材１４１が取り付けられている部分及び第３シート領域１１３の第２部材１４２が取り付けられている部分には、それぞれ補強布１４３が取り付けられている。これにより、第１部材１４１と第２部材１４２との係合を解除する際に第２シート領域１１２及び第３シート領域１１３を引っ張っても、第２シート領域１１２及び第３シート領域１１３が破れる虞が低減される。
【００５１】
また、本実施の形態では、第１シート領域１１１の下端縁の一部と第２シート領域１１２の下端縁の一部とが接合されている。また、第１シート領域１１１の下端縁の一部と第３シート領域１１３の下端縁の一部とが接合されている。これにより、第１シート領域１１１と第２シート領域１１２及び第３シート領域１１３とを対面させるようにカバー本体１０１を折り畳むことが容易である。したがって、カバー１００を収納する際に、カバー本体１０１を素早く折り畳むことができる。
【００５２】
また、本実施の形態では、第２シート領域１１２及び第３シート領域１１３は、それぞれ、正面領域１２１，１３１と、幅方向の一側及び他側において正面領域１２１，１３１及び第１シート領域１１１に接続する側面領域１２２，１３２と、を含む。各側面領域１２２，１３２の上端縁は、上下方向に沿って延びる谷折り線Ｘ４，Ｘ６に沿って谷折りにされた状態で第１シート領域１１１の上端縁及び当該側面領域１２２，１３２が接続する正面領域１２１，１３１の上端縁に接続している。これにより、カバー１００を手押しカート１０に装着した際に、カバー本体１０１を手押しカート１０の三次元形状に沿わせることが容易である。この結果、手押しカート１０に装着されたカバー１００の外寸が手押しカート１０の外寸と比較して著しく大きくなる、という虞が抑制される。また、カバー１００を収納する際、カバー本体１０１を、正面領域１２１，１３１と前側領域１２３，１３３と後側領域１２４，１３４と第１領域１１１とがこの順で重なるように折り畳んで平らにすることができる。したがって、カバー本体１０１を更に折り畳んでコンパクトにすることが容易である。
【００５３】
また、本実施の形態において、側面領域１２２，１３２の下端縁の一部と、当該側面領域１２２，１３２に接続する正面領域１２１，１３１の下端縁の一部とが接合されている。これにより、正面領域１２１，１３１と側面領域１２２，１３２とを対面させるようにカバー本体１０１を折り畳むことが容易である。したがって、カバー１００を収納する際に、カバー本体１０１を素早く折り畳むことができる。
【００５４】
また、本実施の形態において、各側面領域１２２，１３２は、谷折り線Ｘ４，Ｘ６と当該側面領域１２２，１３２が接続する正面領域１２１，１３１との間に位置し且つ当該側面領域１２２，１３２が谷折りにされた状態で正面領域１２１，１３１に対面する前側領域１２３，１３３と、谷折り線Ｘ４，Ｘ６と第１シート領域１１１との間に位置し且つ側面領域１２２，１３２が谷折りにされた状態で前側領域１２３，１３３及び第１シート領域１１１に対面する後側領域１２４，１３４と、を有している。そして、正面領域１２１，１３１の下端縁の一部と前側領域１２３，１３３の下端縁の一部とが接合されている。また、前側領域１２３，１３３の下端縁の一部と後側領域１２４，１３４の下端縁の一部とが接合されている。また、後側領域１２４，１３４の下端縁の一部と第１シート領域１１１の下端縁の一部とが接合されている。このようなカバー１００によれば、カバー１００を収納する際、カバー本体１０１を、正面領域１２１，１３１と前側領域１２３，１３３と後側領域１２４，１３４と第１領域１１１とがこの順で重なるように折り畳んで平らにすることが容易である。したがって、カバー本体１０１を更に折り畳んでコンパクトにすることが容易である。
【００５５】
また、本実施の形態のカバー１００は、カバー本体１０１の上端縁に接続された把持部材１０２を更に備えている。これにより、カバー１００を手押しカート１０から取り外す際、把持部材１０２を把持してカバー１００を上方に引っ張るだけで、カバー１００を手押しカート１０から取り外すことができる。
【００５６】
また、本実施の形態において、把持部材１０２は、伸縮性の材料で環状に形成されている。これにより、雨などによって濡れたカバー１００を乾かす際、把持部材１０２をフックＦ等に引っかけてカバー本体１０１をつり下げることが容易である。さらに、カバー１００を保管する際、折り畳んだカバー本体１０１の周りに巻き付けてカバー本体１０１を折り畳んだ状態に維持することが容易である。
【００５７】
なお、以上において上述した実施の形態に対するいくつかの変形例を説明してきたが、当然に、複数の変形例を適宜組み合わせて適用することも可能である。
【要約】
手押しカート用カバー（１００）は、カバー本体（１０１）を備えている。カバー本体（１０１）は、第１シート領域（１１１）と、第１シート領域（１１１）の幅方向の一側に接続した第２シート領域（１１２）と、第１シート領域（１１１）の幅方向の他側に接続した第３シート領域（１１３）と、を含んでいる。第１シート領域（１１１）の一方の面（Ａ１）に第２シート領域（１１２）及び第３シート領域（１１３）が対面した状態で、第１シート領域（１１１）の上端縁と第２シート領域（１１２）の上端縁及び第３シート領域（１１３）の上端縁とが接続されている。そして、第２シート領域（１１２）と第３シート領域（１１３）との間に、第２シート領域（１１２）及び第３シート領域（１１３）の下端縁まで上下方向に延びるスリット（Ｓ）が形成されている。【図１】
0006964921.tif 000002
【図２】
0006964921.tif 000003
【図３】
0006964921.tif 000004
【図４】
0006964921.tif 000005
【図５】
0006964921.tif 000006
【図６】
0006964921.tif 000007
【図７】
0006964921.tif 000008
【図８】
0006964921.tif 000009
【図９】
0006964921.tif 000010
【図１０】
0006964921.tif 000011
【図１１】
0006964921.tif 000012